(57)【特許請求の範囲】
【請求項１】
中央部より一側部側に変形軸部を、他側部側に大径の円形軸部を有し、前記変形軸部の一端部に係止リング取付用の係合溝を設け、円形軸部の端部に固定ネジを取り付けて成るシャフトと、このシャフトの前記変形軸部の端部に係止させた係止リングを内部に収装係止することによって係止され前記回転シャフトと共に回転可能な回り止め付の固定部材と、前記回転シャフトの変形軸部側へフランジ部側にフリクションプレートを介してその中心部に前記回転シャフトを回転可能に挿通させて係止された回り止め付きの固定カム部材と、この固定カム部材に対向し前記シャフトの変形軸部と係合し軸方向へ摺動可能に取り付けられた摺動カム部材と、この摺動カム部材と前記固定部材の間に前記シャフトに環巻きさせて弾設したコンプレッションスプリングとで構成し、前記摺動カム部材とコンプレッションスプリングの外周に保護筒を嵌着させ、前記固定カム部材にはその一側面にカム部を設け、前記摺動カム部材には前記カム部と圧接する複数の凸部を設けると共に、前記シャフトは前記固定ネジにより開閉体の一方へ抜けでないように固定されることを特徴とする、ヒンジ装置。
【請求項２】
前記保護筒は、前記固定部材と前記固定カム部材の各一部をその両端部より挿入させることにより、前記固定部材と前記固定カム部材の間に支持されていることを特徴とする、請求項１に記載のヒンジ装置。
【請求項３】
携帯用電話機の送話部と受話部とを互いに連結するヒンジ装置であって、前記送話部或は受話部のいずれか一方の端部に設けられた取付部の軸方向に設けた収装孔に収装固定された回り止め付きの固定部材を一端部に係止させたシャフトと、このシャフトをその中心部軸方向に設けた挿通孔へ回転可能に挿通させつつ前記シャフトの中央部に係止され前記送話部或は受話部の前記固定部材を固定させてないものの側の取付部の軸方向に設けた収装孔に収装固定された回り止め付きの固定カム部材と、この固定カム部材と前記固定部材との間に設けられその中心部に挿通させた前記シャフトと係合し該シャフトと共に回転するが軸方向へ摺動可能な摺動カム部材と、この摺動カム部材と前記固定部材との間に前記シャフトに環巻きさせつつ弾設したコンプレッションスプリングとで構成し、前記固定カム部材にはその一側面にカム部を設け、前記摺動カム部材には前記カム部と圧接する凸部を設けると共に、前記シャフトは固定ネジにより前記送話部或は受信部の一方に抜け出ないように固定されたことを特徴とする、ヒンジ装置。
【発明の詳細な説明】
【０００１】
【発明の属する技術分野】
この発明は携帯用電話機、携帯用コンピュータ、電子手帳等の小型電子機器に用いて好適なヒンジ装置に関する。
【０００２】
【従来の技術】
従来、この種のヒンジ装置はチルトヒンジと称され、各種カムやスプリングを組み合わせたさまざまな構成のものが公知である。しかし、どのものも構造が複雑に過ぎ、製作コストが高くついてしまうという問題があった。近年における産業界はコストダウンの荒波にさらされており、この種の電子機器の技術分野でも小型化とコストダウンの要請は非常に厳しいものがある。
【０００３】
【発明が解決しようとする課題】
この発明の目的は、上述したヒンジ装置に求められる技術的要請に答えることができ、また、小型かつ構造が簡単で安価に製造できる、ヒンジ装置を提供せんとするにある。
【０００４】
【課題を解決するための手段】
上述した目的を達成するためにこの発明は、中央部より一側部側に変形軸部を、他側部側に大径の円形軸部を有し、前記変形軸部の一端部に係止リング取付用の係合溝を設け、円形軸部の端部に固定ネジを取り付けて成るシャフトと、このシャフトの前記変形軸部の端部に係止させた係止リングを内部に収装係止することによって係止され前記回転シャフトと共に回転可能な回り止め付の固定部材と、前記回転シャフトの変形軸部側にフランジ部側にフリクションプレートを介してその中心部に前記回転シャフトを回転可能に挿通させて係止された回り止め付きの固定カム部材と、この固定カム部材に対向し前記シャフトの変形軸部と係合し軸方向へ摺動可能に取り付けられた摺動カム部材と、この摺動カム部材と前記固定部材の間に前記シャフトに環巻きさせて弾設したコンプレッションスプリングとで構成し、前記摺動カム部材とコンプレッションスプリングの外周に保護筒を嵌着させ、前記固定カム部材にはその一側面にカム部を設け、前記摺動カム部材には前記カム部と圧接する複数の凸部を設けると共に、前記シャフトは前記固定ネジにより開閉体の一方へ抜けでないように固定されることを特徴とする。
【０００５】
この発明はまた、前記保護筒を、前記固定部材と前記固定カム部材の各一部をその両端部より挿入させることにより、前記固定部材と前記固定カム部材の間に支持されていることを特徴とする。
【０００６】
この発明はまた、携帯用電話機の送話部と受話部とを互いに連結するヒンジ装置であって、前記送話部或は受話部のいずれか一方の端部に設けられた取付部の軸方向に設けた収装孔に収装固定された回り止め付きの固定部材を一端部に係止させたシャフトと、このシャフトをその中心部軸方向に設けた挿通孔へ回転可能に挿通させつつ前記シャフトの中央部に係止され前記送話部或は受話部の前記固定部材を固定させてないものの側の取付部の軸方向に設けた収装孔に収装固定された回り止め付きの固定カム部材と、この固定カム部材と前記固定部材との間に設けられその中心部に挿通させた前記シャフトと係合し該シャフトと共に回転するが軸方向へ摺動可能な摺動カム部材と、この摺動カム部材と前記固定部材との間に前記シャフトに環巻きさせつつ弾設したコンプレッションスプリングとで構成し、前記固定カム部材にはその一側面にカム部を設け、前記摺動カム部材には前記カム部と圧接する凸部を設けると共に、前記シャフトは固定ネジにより前記送話部或は受信部の一方に抜け出ないように固定されたことを特徴とする。
【０００７】
【発明の実施の形態】
図面はこの発明の一実施の形態を示し、図１乃至図４において、１はシャフトである。このシャフト１は中央部より一側部側に小径軸部２が、他側部側に大径軸部３が設けられており、小径軸部２のさらに一側部側には断面が略楕円形状の変形軸部２ａが設けられ、その端部には後述する係止リングを嵌着させる周溝２ｂが設けられている。尚、この小径軸部２は断面が円形の円形軸部２ｃを有するが、全部を変形軸部としても良い。大径軸部３にはその端部軸方向に雌ネジ３ａが設けられている。５はこの雌ネジ３ａにネジ着させる固定ネジから成る固定手段である。６は固定部材であり、この固定部材６はその中心部軸方向に係止リング取付用の円形孔７ａと楕円形状の変形孔７ｂから成る段付き孔７を有し、外周を多角形状とした複数の回り止め６ａ，６ａ・・・を設けてあり、変形孔７ｂへシャフト１の変形軸部２ａを挿通係止させ、周溝２ｂに嵌着させた係止リング８を段付き孔７内部の円形孔７ａへ収装係止させることにより、シャフト１が抜け出ないように、かつシャフト１と共に回転するように該シャフト１を係止させている。シャフト１の小径軸部２の円形軸部２ｃの部分には、その中心部に設けた円形孔１０ａへ円形軸部２ｃを回転可能に挿通させつつ固定カム部材１０が係止されており、この固定カム部材１０と大径軸部３の端面との間には、その中心部に設けた円形孔１１ａに円形軸部２ｃを挿通させつつ、ナイロン等の合成樹脂製のフリクションプレート１１が介在されている。固定カム部材１０には、さらにその外周に多角形状とする複数の回り止め１０ｂ，１０ｂ・・・が設けられると共に、その一側面に一対の凸部１０ｃ，１０ｃが設けられている。固定カム部材１０と固定部材６との間には変形軸部２ａをその中心部軸方向に設けた変形挿通孔１２ａへ挿通させて、摺動カム部材１２が変形軸部２ａの軸方向へ摺動可能かつシャフト１と共に回転可能となるように該シャフト１に取り付けられている。この摺動カム部材１２の固定カム部材１０の凸部１０ｃ，１０ｃと対向する側面には、複数の凹部９ａ，９ａと凸部９ｂ，９ｂから成るカム部９が設けられている。そして、この摺動カム部材１２と固定部材６との間には、シャフト１に環巻きさせてコンプレッションスプリング１３が弾設され、摺動カム部材１２を常に固定カム部部材１０側へ押圧させ、カム部９を凸部１０ｃ，１０ｃへ圧接させている。
【０００８】
そして、摺動カム部材１２とコンプレッションスプリング１３の外側には、内部に塗布させたオイルが外部へしみ出すのを防止する保護筒１７が嵌着されており、この保護筒１７は、その両端部へ固定部材７と固定カム部材１０を挿入させることにより、該固定部材７と固定カム部材１０の間に支持されている。
【０００９】
図４乃至図６はこの発明に係るヒンジ装置を携帯用電話機に用いた場合を示す。この発明に係るヒンジ装置Ａは１個のみ用いられ、開閉体の一例である携帯用電話機１４の送話部１５と受話部１６の各々の端部に設けた取付部１５ａ，１５ａと１６ａに設けた変形取付孔１５ｂと取付孔１５ｃと変形取付孔１６ｂ内部へ収納固定される。例えばヒンジ装置Ａを大径軸部３側を先にして変形取付孔１５ｂ側から挿入して固定カム部材１０と固定部材６の各回り止め１０ｂと６ａを取付孔１５ｂ，１６ｂと係合固定させ、シャフト１の大径軸部３の端部をもう一つの取付部１５ａの取付孔１５ｃに設けた取付壁１５ｄへ、固定ネジから成る固定手段５を用いて固定させることにより取り付けられている。このヒンジ装置Ａの特徴は、この種のヒンジ機構のものの多くのもののように、左右一対設けられるのではなく、貫通型で一個のもので足りるようにした点である。こうしておいて送話部１５に対して受話部１６を開閉させると、当該受話部１６は固定カム部材１０と共にシャフト１の回りで取付部１６ａと共に回転することになる。もっとも、送話部１５と受話部１６の開閉は相対的であり、送話部１５を受話部１６に対して開閉させる場合もある。この場合は固定部材６はこれを係止固定させた取付部１６ａを介してシャフト１と共に回転することになる。
【００１０】
図５と図７において、今、受話部１６を送話部１５に対して閉じた０°の状態においては、固定カム部材１０の凸部１０ｃ，１０ｃは摺動カム部材１２のカム部９の凹部９ａ内の位置にある。この０°の状態では凸部１０ｃ，１０ｃは凹部９ａ，９ａ内へ落ち込んでロックされた状態となり自然に開くことはない。受話部１６を開くと固定カム部材１０の凸部１０ｃ，１０ｃは、摺動カム部材１２のカム部９の凹部９ａ，９ａより凸部９ｂ，９ｂ上へ移動し、約１６０°の開成角度になると、再び凹部９ａへ落ち込んでいくことにより自動的に開かれる。この際には凸部１０ｃ，１０ｃは凹部９ａ，９ａ内へ完全に落ち込みロックされる。そして、１６０°を越えると凸部１０ｃ，１０ｃは再び凹部９ａ，９ａを脱して凸部９ｂ，９ｂ上へ移動し、さらに開くことが可能となる。使用が終了して受話部１６を送話部１５に対して閉じる場合には、凸部１０ｃ，１０ｃが凹部９ａ，９ａ内へ落ち込むことにより吸い込まれるようにして自動的に閉じられ、その閉成状態を上述した
ように維持する。
【００１１】
尚、受話部１６の開閉操作時の本願発明に係るヒンジ装置Ａによっての制御は、上述したもの以外にもカム部や凸部の形状、設置位置等を変えることにより、さまざまなバリエーションとすることができる。それによって本願発明に係るヒンジ装置は他の小型電子機器のディスプレー体等の開閉体の開閉用のヒンジ装置として用いることが可能である。
【００１２】
尚、その他の実施の形態として、固定部材や固定カム部材を各々その取付部へ固定させる固定手段には限定はない。固定部材と固定カム部材は係止突起、固定ピンその他の手段で各々その取付部へ固定させても良い。また、凸部１０ｃ，１０ｃとカム部９を設ける部材を上述した実施の形態のものと逆にしても良い。凸部や凹部の形状や設置位置についても用途によってさまざまに変えることが可能である。また、固定ネジから成る固定手段は、Ｅリング，係止リングその他の公知の手段によってこれに代えることができる。
【００１３】
【発明の効果】
この発明は以上のように構成したので、小型で部品点数が少なく構造が簡単であるので製作コストを大幅に下げることができた上で、これを携帯用電話機に用いると、送話部と受話部を閉成状態で安定的にロックさせておくことができた上で、両者をフリーストップに停止させておくことができたり、さらに最も使用頻度の高い開成角度で安定停止させておくことができるなどして、携帯用電話機のヒンジ装置として、必要とされる機能を果たすことのできるものである。また、この発明に係るヒンジ装置のシャフトは、送話部と受話部の取付部に対し、左右渡しとなる１本のシャフトとなっているので、構造が簡単となる上に、強度が増大し、送話部に受話部の間を繋ぐフレキシブル配線が容易になり、送話部と受話部の連結部分のデザインの選択幅が拡大するという効果をそうすることができるものである。
【００１４】
この発明に係るヒンジ装置は、携帯用電話機以外の小型電子機器のディスプレー体の開閉用として用いても、カム部材と摺動カム部材に設ける凸部とカム部の形状、設置位置を変更することにより、必要とされる機能を安価なコストで与えることができるものである。
【図面の簡単な説明】
【図１】  この発明に係るヒンジ装置の正面図である。
【図２】  図１に示したヒンジ装置の右側面図である。
【図３】  図１に示したヒンジ装置の分解斜視図である。
【図４】  この発明に係るヒンジ装置を実施した携帯用電話機の一部分解斜視図である。
【図５】  図４に示した携帯用電話機の側面図である。
【図６】  図４に示した携帯用電話装置のヒンジ装置の部分の拡大断面図である。
【図７】  図６に示した拡大断面図に対応し、その動作を説明する拡大断面図である。
【符号の説明】
Ａ  ヒンジ装置
１  シャフト
２  小径軸部
３  大径軸部
４  係止リング
５  固定手段（固定ネジ）
６  固定部材
６ａ  回り止め
９  カム部
１０  固定カム部材
１０ｂ  回り止め
１０ｃ  凸部
１１  フリクションプレート
１２  摺動カム部材
１３  コンプレッションスプリング
１４  携帯電話機
１５  送話部
１６  受話部
１７  保護筒
【図１】
0003697339.tif 000002
【図２】
0003697339.tif 000003
【図３】
0003697339.tif 000004
【図４】
0003697339.tif 000005
【図５】
0003697339.tif 000006
【図６】
0003697339.tif 000007
【図７】
0003697339.tif 000008